(57)【要約】【課題】エンブレムの汚れそのものを解消してその清掃を不要とし、さらに立体感があって外観意匠性に優れたエンブレムとその形成方法を提供する。【解決手段】素地上に下塗り層Ｓを形成し、下塗り層Ｓの表面にエンブレム形状のマーキング材Ｍを形成し、マーキング材Ｍの表面上方からマーキング材Ｍの形成されていない下塗り層Ｓの表面上方に亘って少なくとも２以上のコート層Ｕ１，Ｕ２が積層してなる上塗り層Ｕを形成し、上塗り層Ｕのうちのマーキング材Ｍに対応する箇所であって他の箇所に比して凸をなす箇所Ｔを少なくとも研磨して平滑面Ｈを形成する方法である。【選択図】図１
2012027066.tif 000002
【特許請求の範囲】
【請求項１】
素地上に下塗り層を形成し、下塗り層の表面にエンブレム形状のマーキング材を形成し、マーキング材の表面上方から該マーキング材の形成されていない下塗り層の表面上方に亘って少なくとも２以上のコート層が積層してなる上塗り層を形成し、上塗り層のうちの前記マーキング材に対応する箇所であって他の箇所に比して凸をなす箇所を少なくとも研磨して平滑面を形成するエンブレムの形成方法。
【請求項２】
マーキング材の表面から該マーキング材の形成されていない下塗り層の表面に亘って中塗り層を形成した後に、前記上塗り層を形成する請求項１に記載のエンブレムの形成方法。
【請求項３】
前記研磨の後に補正クリア層が上塗り層の研磨面に形成される請求項１または２に記載のエンブレムの形成方法。
【請求項４】
素地上に形成されるエンブレムであって、
前記エンブレムは、下塗り層と、該下塗り層の表面のエンブレム形状のマーキング材と、マーキング材の表面上方から該マーキング材の形成されていない下塗り層の表面上方に亘って形成されている少なくとも２以上のコート層が積層してなる上塗り層とから構成され、上塗り層の表面が平滑面を有しているエンブレム。
【請求項５】
前記エンブレムは、下塗り層と、該下塗り層の表面のエンブレム形状のマーキング材と、マーキング材の表面から該マーキング材の形成されていない下塗り層の表面に亘って形成されている中塗り層および前記上塗り層とから構成されている請求項４に記載のエンブレム。
【請求項６】
前記平滑面上に補正クリア層をさらに有している請求項４または５に記載のエンブレム。
【発明の詳細な説明】
【技術分野】
【０００１】
本発明は、車両のボディ等の素地表面に形成されるエンブレムとその形成方法に関するものである。
【背景技術】
【０００２】
たとえば車両のボディ表面には、車両メーカーのロゴマークや車種名などのエンブレムがめっき処理等されることによって取り付けられている。このエンブレムには少なからず車両の普及促進や販売促進を高める効果が期待されており、そのために優れた外観意匠性が要求されている。
【０００３】
ところで、エンブレムは薄厚のものでも１．０〜２．５ｍｍ程度の厚みを有しており、塗装されたボディ素地面とエンブレム表面との間には自ずと段差が生じてしまう。この段差には汚れが溜まり易く、この溜まった汚れを完全に落としきるのは往々にして難しい。
【０００４】
このような課題に対し、車両用のボディ等に装飾用塗装を施す際に、塗布面に段差を生ずることなく美麗な外観を得ることのできる塗装方法が特許文献１に開示されている。
【０００５】
この塗装方法は、マーキング材料をマーキング素材面側から被着体に貼付し、マスキング部材を剥離するための剥離部材をマスキング部材面に固着し、マーキング素材周囲に塗布層を形成した後に剥離部材を用いてマスキング部材を剥離するものである。
【０００６】
この方法によれば、マーキング素材表面と塗布層表面が面一に形成されることから上記するマーキング素材（エンブレム）周囲に清掃困難な汚れが付着することは解消される。
【０００７】
しかし、エンブレムが同厚の塗布層内に埋め込まれてしまったことでその立体感が失われてしまい、外観意匠性が逆に阻害されてしまうという新たな課題が生じることとなる。特に、この立体感の喪失に関しては、本発明者等が実際にこの特許公報で開示される方法に基づいてエンブレムを試作し、その立体感を確認したことによって明らかとなっている。また、マスキング部材を剥離する際に塗布層の一部も同時に剥離され、ここに段差が生じる要因となりかねない。
【先行技術文献】
【特許文献】
【０００８】
【特許文献１】特開平６−１５４６９９号公報
【発明の概要】
【発明が解決しようとする課題】
【０００９】
本発明は上記する問題に鑑みてなされたものであり、エンブレムの汚れを簡易に清掃することができ、さらに立体感があって外観意匠性に優れたエンブレムとその形成方法を提供することを目的とする。
【課題を解決するための手段】
【００１０】
前記目的を達成すべく、本発明によるエンブレムの形成方法は、素地上に下塗り層を形成し、下塗り層の表面にエンブレム形状のマーキング材を形成し、マーキング材の表面上方から該マーキング材の形成されていない下塗り層の表面上方に亘って少なくとも２以上のコート層が積層してなる上塗り層を形成し、上塗り層のうちの前記マーキング材に対応する箇所であって他の箇所に比して凸をなす箇所を少なくとも研磨して平滑面を形成するものである。
【００１１】
本発明のエンブレムの形成方法では、下塗り層の表面にエンブレム形状のマーキング材を形成した後に、このマーキング材の表面上方からマーキング材が形成されていない下塗り層の表面上方に亘って２以上のコート層を積層するように形成し、これら複数のコート層からなる上塗り層を形成する。
【００１２】
ここで、「マーキング材の表面上方」や「下塗り層の表面上方」における「表面上方」とは、マーキング材や下塗り層の表面に対してその上方の上塗り層が密着することや、マーキング材や下塗り層の表面から間隔を置いて、その上方に上塗り層が形成されることの双方を含む意味である。後者の例としては、たとえば、マーキング材や下塗り層の表面に上塗り層以外の層が密着し、この層に上塗り層が密着する形態などがある。
【００１３】
この形成段階で、上塗り層はマーキング材に対応する位置で凸をなしており、次に、この上塗り層の表面を研磨して少なくともこの凸をなす箇所を取り除き、上塗り層の表面全体を平滑面に仕上げてエンブレムが形成されるものである。
【００１４】
この研磨においては、上塗り層を構成する少なくとも２つのコート層のうちの上層が研磨され、その下層は研磨されることなく当初の厚みが保持されるのが望ましい。そして、当初の厚みが保持された下方のコート層は、マーキング材の表面に対応するたとえばフラットな領域と、下塗り層に密着するフラットな領域と、これらフラットな領域を繋ぐ傾斜領域とが連続する層を成している。この傾斜領域が形成されるのは、下方のコート層がマーキング材に乗り上げているためである。
【００１５】
本発明の形成方法では、少なくともマーキング材と密着するコート層が上記する傾斜領域を保持するために、上方のコート層内を通る面内で研磨して平滑面を形成するものである。なお、少なくとも下方のコート層が傾斜領域を具備すればよいことから、上方のコート層を通る面内で研磨した際に、下方のコート層の一部も同時に研磨されてもよいことは勿論のことである。
【００１６】
たとえば上記するように傾斜領域とこれに連続する２つのフラットな領域では、双方の光の屈折角が変化する。したがって、仕上げられたエンブレムを平面的に見た際に、エンブレム形状のマーキング材の輪郭の周囲に位置する上記傾斜領域と他の領域とで双方の屈折角が相違することから、この屈折角の相違に起因してマーキング材の輪郭を境界として明暗のコントラストが強められ、エンブレムの立体感がより一層醸し出されることになる。
【００１７】
上記するように、エンブレムの立体感を増強させるためにその輪郭周囲にコート層の傾斜領域を形成することから、上塗り層が上記するように２層のコート層からなる場合は上方のコート層を通る面内で平滑面を形成し、上塗り層が３層以上のコート層からなる場合は、少なくともマーキング材と密着するコート層以外の任意のコート層を通る面内で平滑面を形成すればよい。なお、既述するように、傾斜領域が形成できることを前提に、下方のコート層の一部、もしくはマーキング材と密着するコート層の一部を平滑面が通ってもよい。
【００１８】
また、本発明でいう「エンブレム」とは、エンブレムの形状そのものを意味することのほかに、エンブレムの輪郭周囲のコート層の傾斜領域と、さらにその周囲のコート層が下塗り層と密着する領域を含んだ広がりのある領域を示称するものである。
【００１９】
また、本発明によるエンブレムの形成方法の他の実施の形態として、マーキング材の表面から該マーキング材の形成されていない下塗り層の表面に亘って、上塗り層のみを形成する代わりに、中塗り層を形成し、次いで少なくとも２以上のコート層が積層してなる上塗り層を形成する方法もある。
【００２０】
この形態の形成方法では、マーキング材の上に中塗り層が直接形成される。したがって、この中塗り層が傾斜領域を有するように平滑面の仕上げがおこなわれればよいことから、２以上のコート層からなる上塗り層のいずれのコート層を通る面内で研磨を実施してもよい。
【００２１】
ここで、中塗り層と上塗り層にはそれぞれに期待される作用が異なるのが一般的であり、たとえば中塗り層には密着調整用の塗料が使用され、上塗り層には着色、光輝および透明保護用の塗料が使用される。
【００２２】
上記する本発明の形成方法にて形成されたエンブレムは、その立体感が増強されることのほかにも、その表面が平滑面に形成されていることにより、エンブレム周囲に汚れが溜まることがなく、簡易に清掃することができる。
【００２３】
さらに、研磨の後に補正クリア層が上塗り層の研磨面に形成されてもよい。
【００２４】
また、本発明はエンブレムそのものにも及ぶものであり、素地上に形成されるエンブレムであって、前記エンブレムは、下塗り層と、該下塗り層の表面のエンブレム形状のマーキング材と、マーキング材の表面上方から該マーキング材の形成されていない下塗り層の表面上方に亘って形成されている少なくとも２以上のコート層が積層してなる上塗り層とから構成され、上塗り層の表面が平滑面を有しているものである。
【００２５】
このエンブレムが上塗り層のほかに中塗り層を具備するものであってもよいし、平滑面上に補正クリア層をさらに有していてもよい。
【００２６】
本発明のエンブレムによれば、エンブレム形状のマーキング材の周囲にコート層の傾斜領域を備え、この傾斜領域での屈折角がコート層のマーキング材に対応する領域および下塗り層と密着する領域双方の屈折角と相違することで、この屈折角の相違に起因してエンブレムの輪郭を境界として明暗のコントラストが強められ、エンブレムの立体感がより一層醸し出されたものとなる。
【発明の効果】
【００２７】
以上の説明から理解できるように、本発明のエンブレムとその形成方法によれば、マーキング材の表面上方からマーキング材が形成されていない下塗り層の表面上方に亘って、複数のコート層が積層してなる上塗り層が少なくとも形成され、マーキング材に対応する上塗り層の凸をなす箇所を研磨して平滑面を形成するとともに、マーキング材の周囲にコート層の傾斜領域を形成することにより、この傾斜領域とその他の領域の屈折角が異なることを利用して、エンブレムの立体感を増強させることができ、さらには、エンブレムに付着した汚れを簡易に清掃することもできる。
【図面の簡単な説明】
【００２８】
【図１】（ａ）〜（ｄ）の順に、本発明のエンブレムの形成方法の一実施の形態を説明した模式図である。
【図２】上塗り層を構成する２つのコート層に関し、平滑面の形成可否を説明した図である。
【図３】上塗り層の平坦部、傾斜部で光の屈折角が相違することを説明した図である。
【図４】（ａ）〜（ｃ）の順に、本発明のエンブレムの形成方法の他の実施の形態を説明した模式図である。
【図５】中塗り層と上塗り層を構成する４つのコート層に関し、平滑面の形成可否を説明した図である。
【発明を実施するための形態】
【００２９】
以下、図面を参照して本発明のエンブレムの形成方法の実施の形態を説明する。なお、図示例は、説明を容易とするためにマーキング材の途中までを示している。また、図示例は素地表面が平坦な場合を示しているが、素地表面が湾曲面等であってもよいことは勿論のことである。さらに、図示例では、中塗り層が１層、上塗り層が２層もしくは４層のものを示しているが、各層の基数が図示例に限定されるものでないことは勿論のことである。
【００３０】
図１は、その図１ａ〜図１ｄの順で、本発明のエンブレムの形成方法の一実施の形態を説明した模式図である。
【００３１】
図１ａで示すように、まず、車両ボディからなる素地Ｐ上に、防錆のための下塗り層Ｓを形成し、この下塗り層Ｓの表面に所望するエンブレム形状のマーキング材Ｍを形成する。
【００３２】
ここで、マーキング材Ｍの形成方法は、エンブレム形状が抜き取られたカッティングシートを素地上に貼着し、カッティング領域にパテ付けをおこなって乾燥させ、カッティング領域内のパテ表面を研磨して平滑面とした後にカッティングシートを剥がす方法でおこなわれる。
【００３３】
また、エンブレム形状の耐熱性のマーキングシートを素地表面に直接貼着してマーキング材Ｍを形成する方法もある。
【００３４】
素地Ｐの表面にエンブレム形状のマーキング材Ｍが形成されたら、図１ｂで示すように、このマーキング材Ｍの表面からマーキング材Ｍの形成されていない下塗り層Ｓの表面に亘って２層のコート層を、その下層Ｕ１、上層Ｕ２の順にそれぞれ塗布と乾燥を繰り返しながら形成し、これら下層Ｕ１と上層Ｕ２が積層してなる上塗り層Ｕが形成される。
【００３５】
この下層Ｕ１はベース層であり、上層Ｕ２はクリア層であって、それぞれが着色および光輝用の塗料、透明保護用の塗料である合成樹脂エナメル塗料から形成される。
【００３６】
図１ｂにおいて、上塗り層Ｕのうち、マーキング材Ｍに対応する領域は他の領域に比してこのマーキングＭの厚み分だけ上方に凸をなしており、マーキング材Ｍが形成されていない領域とこの凸をなす箇所Ｔの間には上層Ｕ２および下層Ｕ１が傾斜する傾斜領域Ｋが自ずと形成される。
【００３７】
次いで、図１ｃで示すように、少なくとも上記する凸をなす箇所Ｔを耐水サンドペーパー等を使用して研磨し、上層Ｕ２の全表面を平滑面Ｈに仕上げる。
【００３８】
ここで、平滑面Ｈの形成位置、すなわち、２つのコート層Ｕ１，Ｕ２のいずれの層を通る面内で研磨する必要があるかに関し、図２を参照して説明する。
【００３９】
図２は、図１ｂを抜き出して示したものであり、上方のコート層Ｕ２を通る平滑面Ｌ１、下方のコート層Ｕ１を通る平滑面Ｌ２を示している。
【００４０】
図１ｃでは、上方のコート層Ｕ２を通る面内で研磨をおこない、平滑面Ｌ１に相当する平滑面Ｈを形成している。これに対して、仮に下方のコート層Ｕ１を通る面内で研磨をおこなって平滑面Ｌ２を形成した場合には、マーキング材Ｍの周囲にコート層Ｕ１からなる傾斜領域を形成することができなくなる。
【００４１】
この傾斜領域は、後述するようにエンブレムの立体感を増強するために重要な要素であることから、この実施例では、上方のコート層Ｕ２を通る面内で研磨をおこなって平滑面Ｈを形成する必要がある。なお、下方のコート層Ｕ１に傾斜領域を具備することを前提に、上方のコート層Ｕ２を通る面内で研磨をおこなった際に、これと同時に下方のコート層Ｕ１の一部も研磨され、平滑面の一部をなすことになってもよい。
【００４２】
図１に戻り、仕上げられた平滑面Ｈ上に図１ｄで示すように補正クリア層Ｃを塗装および乾燥させて形成し、所望するエンブレムが形成される。なお、この補正クリア層Ｃも透明保護用の塗料である合成樹脂エナメル塗料から形成でき、上塗り層Ｕと補正クリア層Ｃにより、エンブレムの意匠性と耐候性が付与される。
【００４３】
図３は、図１ｄを拡大して示し、光の屈折角が上塗り層Ｕを形成する上層Ｕ２と下層Ｕ１の境界のフラット領域Ｆと傾斜領域Ｋで相違することを説明した図である。
【００４４】
同図において、下層Ｕ１のマーキング材Ｍに対応する領域と下塗り層Ｓに密着する領域がともにフラット領域Ｆであり、双方ともに光の屈折角はθ１となる。
【００４５】
一方、双方のフラット領域Ｆ，Ｆの間に介在する傾斜領域Ｋでは、屈折角：θ１とは異なる屈折角：θ２で光が反射する。
【００４６】
その結果、エンブレムを上方から視認する（Ｘ方向）観察者にとっては、双方の屈折角の相違によってエンブレムの輪郭を境界として明暗のコントラストが増強され、エンブレムの輪郭が際立って見え、立体感が一層醸し出されたように見えることになる。この立体感に関してさらに言えば、エンブレムがフリップフロップ性の高い色の塗料で形成されている場合に、立体感をより一層際立たせることができる。
【００４７】
さらに、同図からも明らかなように、エンブレムの輪郭が際立って視認できることに加えて、マーキング材Ｍに汚れが直接付着することはなく、補正クリア層Ｃの表面が平滑であることからその清掃は簡易な拭き取り等でよい。
【００４８】
図４は、その図４ａ〜図４ｃの順で、本発明のエンブレムの形成方法の他の実施の形態を説明した模式図である。
【００４９】
この形成方法では、下塗り層Ｓの形成、マーキング材Ｍの形成に次いで、このマーキング材Ｍの表面からマーキング材Ｍの形成されていない下塗り層Ｓの表面に亘って中塗り層Ｎを塗布および乾燥にて形成し、この中塗り層Ｎの表面に、下ベース層Ｕ３、アンダークリア層Ｕ４、上ベース層Ｕ５、トップクリア層Ｕ６を順に塗布および乾燥にて形成し、この４層のコート層Ｕ３〜Ｕ６からなる上塗り層Ｕ’を形成する。
【００５０】
既述するように、上塗り層Ｕ’によってエンブレムの意匠性と耐候性が付与され、中塗り層Ｎによって仕上がり性とチッピング性が付与される。なお、この中塗り層Ｎは、平滑性、密着調整用の塗料である合成樹脂エナメル塗料から形成できる。
【００５１】
中塗り層Ｎと４層のコート層からなる上塗り層Ｕ’が形成されたら、図４ｂで示すように、凸をなす箇所Ｔを耐水サンドペーパー等を使用して研磨し、４層のコート層のうちの途中レベルにおいてその全表面を平滑面Ｈに仕上げる。
【００５２】
ここで、図２と同様に、平滑面Ｈの形成位置、すなわち、４つのコート層Ｕ３〜Ｕ６と中塗り層Ｎのいずれの層を通る面内で研磨する必要があるかに関し、図５を参照して説明する。
【００５３】
図５は、図４ａを抜き出して示したものであり、上方のコート層Ｕ６から順に、各コート層を通る平滑面をＬ３〜Ｌ６で示している。
【００５４】
同図において、中塗り層Ｎを通る平面：Ｌ６で平滑面を形成してしまうと、マーキング材Ｍの周囲にコート層の傾斜領域を形成できなくなることから、それ以外の平面：Ｌ３〜Ｌ５のいずれかを平滑面とするように研磨すればよい。
【００５５】
図４に戻り、仕上げられた平滑面Ｈ上に図４ｃで示すように補正クリア層Ｃを塗装および乾燥させて形成し、マーキング材Ｍが中塗り層Ｎと上塗り層Ｕ’および補正クリア層Ｃにて保護されたエンブレムが形成される。
【００５６】
上塗り層を構成するコート層の基数は、図示する２層、４層以外の任意の基数を選定できるが、本発明者等によれば、たとえば２層に比して４層の方が、図示する凸をなす箇所を研磨する際の研磨量を低減させることができ、作業性と品質の双方に優れていることが特定されている。
【００５７】
図示する本発明のエンブレムの形成方法によれば、マーキング材の表面からマーキング材の形成されていない下塗り層の表面に亘って中塗り層および／または上塗り層を形成し、次いでこれらの層のうちで凸をなす箇所を研磨して平滑面を形成するという、極めて簡易な製法改良により、エンブレムの立体感を一層醸し出すことができる。さらに、エンブレムを構成するマーキング材が外部に剥き出すことなく、その表面は上塗り層もしくは補正クリア層の平滑面となっていることから、マーキング材が直接汚れることがなく、汚れた平滑面は簡易な拭き取り等で綺麗にすることができる。
【００５８】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００５９】
Ｐ…素地、Ｓ…下塗り層、Ｍ…マーキング材、Ｎ…中塗り層、Ｕ，Ｕ’…上塗り層、Ｕ１，Ｕ２，Ｕ３，Ｕ４，Ｕ５，Ｕ６…コート層、Ｃ…補正クリア層、Ｈ…平滑面、Ｔ…凸をなす箇所、Ｆ…フラット領域、Ｋ…傾斜領域
【図１】
2012027066.tif 000003
【図２】
2012027066.tif 000004
【図３】
2012027066.tif 000005
【図４】
2012027066.tif 000006
【図５】
2012027066.tif 000007